(57)【要約】      （修正有）【課題】毛髪を乾燥しながら同時に化粧、着衣、運転などの乾燥以外の行動が可能になるヘアードライ機を提供する。【解決手段】乾燥風を生成する本体部３１０と、乾燥風を移送するエアーチューブ３２０と、乾燥風を噴射する吐出しバンド３３０と、弾性体バンド３４０を設けることにより、使用者は毛髪の乾燥と同時に両手がヘアードライ機から離れて自由に使うことが可能になり、乾燥以外の行動が可能になるものであって、手に握って使用する既存のヘアードライ機とは異なり、ハンズフリー機能を有するヘアードライ機を実現する。【選択図】図０
2015029656.tif 000002
【特許請求の範囲】
【請求項１】
乾燥風の風量および温度を調節して生成する本体；上記本体から生成された乾燥風をバンド部に移動させるエアーチューブ部
；及び坂東部に移送された乾燥風を乾燥部位別に形状変更され噴射する装置が構成することを特徴とするヘアードライ機
【請求項２】
第1項に於いて、上記本体部が2種類以上の性質でそれぞれ生成された乾燥風がお互いに混合されないように分離された内部ハウジング、外部ハウジング、防音財部、断熱財部；電気力で起動するヒーティングコイル(h)及びインパラー(g)、間歇遮断機モータとこれを調整するパンネール(a)；エアーチューブ(320)で乾燥風が移動するとき間歇的な開閉が行われるようにする遮断機(d)で構成されていることを特徴とするヘアードライ機。
【請求項３】
第1項において、二つ以上の性質でそれぞれ生成された乾燥風がお互いに混合されずに本体から吐出し部まで移送できるように断熱材で包まれているマルチコアー部とシングルコアー部を持っているエアーチューブが構成されたことを特徴とするヘアードライ機
【請求項４】
第1項において、上記乾燥風噴射装置が三日月形象の乾燥風吐出しバンド部(311,312)とバンド間締め付け及び角度を変更できる第1ヒンジ部(334)、弾性力を持つ三日月形象の弾性体バンド(340)と第1番どぶ(331)を締め付ける折り畳み部を持つ第2ヒンジ(342)部；バンド内部エアーダクト(411)とステアリング；盤スプリング、変速ギア及び振り子が適用され、一定速度で乾燥風吐出しバンド間角度が変更できるようにするぜんまい分(337)で構成されたことを特徴とするヘアードライ機
【請求項５】
第4項において、上記バンド部の吐出し風(431)流速を利用して周辺の空気を乾燥風で抱きいれて活用できるようにしずく形象の断面部を持つ乾燥風吐出しバンドが構成されていることを特徴とするヘアードライ機。
【請求項６】
第4項において、上記バンド部にて吐出される風量を調整して図６ｃのバンド形態に変更してステアリング機作動により吐出し風の軌跡が円錐形螺旋構造で精製できるように乾燥風吐出し部が構成されていることを特徴とするヘアードライ機。
【請求項７】
第4項において、上記バンドをエアーダクト(411)を通って吐出される乾燥風の伝統熱によりバンド外部ハウジングが過熱する現状を防止するための断熱材(413)が構成されることを特徴とするヘアードライ機。
【請求項８】
毛髪の乾燥部位による乾燥風吐出しバンド間ヒンジ角変更段階及び弾性体バンドと第1バンド間ヒンジ角度変更段階を含むバンドの円弧内部方向にある毛髪を乾燥する方法。
【請求項９】
第８項において、全乾燥段階にて本体から移送される乾燥風の生成、制御及び異常状態の感知に夜コイル及び送風遮断方法
【請求項１０】
第３項、４項、５項、６項、７項、８項において、既存ヘアードライ機から出る乾燥風から外部空気を抱き入れて低温風を生成、分離後エアーチューブで送るコネクター部；と本体部を除外した全項にて請求されるバンド部；及びエアーチューブが構成されたことを特徴をするヘアードライ機付着装備。
【発明の詳細な説明】
【技術分野】
【０００１】
この出願はヘアードライ機に関することであり、詳細では製品使用者の既存ヘアードライ機ノズルの方向調整が不要のバンド形ハンズ不利ヘアードライ機と一般家庭用ヘアードライ機に付着してハンズフリードライ機でも使用可能とするコネクター及びこの装置の附則装置の製作及び使用方法に関することである。
【背景技術】
【０００２】
図１の記述のように従来のヘアードライ機を使用する毛髪乾燥方式は両腕の持っている人の場合、片手で装置を握って反対の手で櫛などを利用して髪毛を乾燥する。個別の差はあるが毛髪の量が多い人の場合、毛髪乾燥のため長い時間を掛けて重さに耐えられず両手にドライ機を持ち替えるのが現在のドライ機の一般的な使用方法となっている。
【０００３】
ヘアードライ機はその目的によってぬれている手で操作することが多く、かつ湿気の多い場所での使用が多い為ドライ機の操作中感電事故の危険性が存在する。
【０００４】
頭の毛髪分布は丸い球体だが既存ヘアードライ機のノズルはこの形と異なり多量の温風が毛髪に当たらず、乾燥面積が狭い為、エネルギーの使用効率が落ちる構造で製作されている。
【０００５】
一遍、上記問題を改善する為の先行技術も存在する。
【０００６】
韓国公開特許(1020030035380)により毛髪乾燥方式を効率よくするための先行特許が存在するが、当装置には以下のような欠点が存在する。毛髪を乾燥機の送風口(割れ目)に挿入して乾燥する方式である。上記特許は全頭部を包む大形の固定式乾燥機であり使用者に於いて体勢を機器に合わせる必要があることと髪毛の長さに合わせることができない為、効率の良くない送風方式を持っている。なお、使用者のお好みで髪毛をスタイリングできない、かつ置き場所が固定であるかつ容積面においても一般家庭では置くことが混乱である面が存在する。
【０００７】
なお、韓国登録特許(1020090029094)により密着式ヘアードライ機の先行特許が存在する。本特許の技術は人の肩にモータファン及びヒーティングコイルとその温風を制御する各種電子装備が組み込まれているヘアードライ機を体に密着した形で使用する方式である。本特許は長い毛髪を持っている使用者のみしよう可能でありかつ電気制御部が体に密着しているため感電の危険性がある。なお、毛髪と反対方向で送風する為乾燥する髪が散乱して乾燥後見た目の良くない問題も存在する。
【０００８】
アメリカ登録特許(06964116)の「Ambulatory hairdryer」はヘアードライ機をヘルメットに挿入して使用する方式である。この方式はモータファン及びヒーティングコイル装置及び電力制御装置がヘルメットに付着されている為、重さによる不便が発生する。なお、髪毛の長い人には使用に不便なところがある。ちなみに髪毛のスタイリングができない、かつ電気制御部がヘルメットに付着されている為濡れている髪毛により感電の恐れがある。
【０００９】
アメリカ登録特許(05651190)の「hand-free hair dryer」及び(7096597)の「Backpack hair blower with heater」は毛髪にビニルの被いを被せて温風を中に入れて毛髪の水分を蒸発させる方式である。この方式はビニルの被いによってスタイリングが不可能であり、かつ蒸発した水蒸気が排出できない為、飽和蒸気状態の空気が再度凝結されるので乾燥能力が落ちる。なお、長い髪毛を持っているひとには不適切の問題点がある。
【００１０】
アメリカ登録特許(06266893)の「Inverted bonnet hari
dryer」は毛髪乾燥台を利用した方式である。一般家庭で使用するには容積率が大きし、スタイリングができない問題と乾燥行動以外は固定式の装置から自由に動けない不便がある。
【００１１】
ヨーロッパ登録特許(01342427)の「A hair styler」は櫛と連動され片手で乾燥が可能になる方式である。既存ヘアードライ機と同じく毛髪乾燥のための時間及び髪毛を乾燥するために何度もドライ機を上下に動く必要があるので疲労度が上がる。なお送風量が少ないので長い時間が掛かる。
【００１２】
PCT(1995019535)の「Hands free hair dryer」及び日本公開特許(17323621)の「Dryer holder」は身体機関ではない違う支持装置を利用して乾燥風が固定で吹き出される方式である。既存のヘアードライ機と同じ方式でノズルは肩したから頭の方に上向となっているので毛髪乾燥の為に乾燥時間が必要になる。
【先行技術文献】
【特許文献】
【００１３】
(特許文献  0001)  韓国登録特許  10-0894548
(特許文献  0002)  韓国登録特許  1020030035380
(特許文献  0003)  アメリカ登録特許  06964116
(特許文献  0004)  アメリカ登録特許  05651190
(特許文献  0005)  アメリカ登録特許  7096597
(特許文献  0006)  アメリカ登録特許  06266893
(特許文献  0007)  ヨーロッパ登録特許  01342427
(特許文献  0008)  日本公開特許  17323621
(特許文献  0009)  PCT公開番号  1995019535
【発明の概要】
【発明が解決しようとする課題】
【００１４】
この出願は上記の先行特許の問題点を解決する為のものであり既存ヘアードライ機よりより効率いい送風構造と容積率及び使用方法の便利さを使用者に提供する。なおかつ既存の毛髪乾燥装置では実現できなかったスタイリングの自由さと毛髪乾燥中片手の縛りをなくしてハンズフリー機能を充実に実現して髪乾燥中別行動が不自由だったことを解決する。
【００１５】
この出願の課題は上記明視課題に制限されず、以下の別課題について当業者に明確に理解できる。
【課題を解決するための手段】
【００１６】
この発明の日常実施例に折ると乾燥風の風量及び温度を調整して空気を吹き出す本体部(310)；上記本体から生成される乾燥風をバンド部に移動させる断熱材で包まれているエアーチューブ(320)；乾燥する毛髪部位別で形状変更して乾燥風をするバンド部(330)；と一連の装置が提供できる。
【００１７】
なお、上記本体部は二つの空気質で生成された乾燥風がお互いに混合されないように分離された本体内部のエアーチューブ、内部エアーチューブと外部ハウジング間防音財部；電気力で起動するヒーティングコイル(ｃ)及びインペラモータ、間歇遮断機モータとこれを調整する制御弁(a)；エアーチューブで乾燥風が移動する際、間歇的に開閉が行なわれるようにする遮断機(d)を含む。
【００１８】
なお、上記本体部にて分離されて生成された乾燥風の性質がお互いに混合されずエアーチューブを通り、バンド部にそれぞれ移動できるようにマルチコアを持っているエアーチューブが含まれる。
【００１９】
なお、上記乾燥風噴射装置は乾燥風ノズルバンド間角度を変更できる第1ヒンジ(Hinge)部(334)、弾性体バンド(340)と第1バンドー部が繋がるように関節部が組み込まれている第2ヒンジ(342)；プレートスプリング、変速ギアー及び振り子が適用され一定速度で乾燥風ノズルバンド間角度が変更されるぜんまい部(337)が提供される。
【００２０】
なお、上記バンド部の吐出し風(431)流速を利用して周辺の空気を乾燥風に巻き起こすように、滴形状を断面部を持っている乾燥風吐き出しバンド部が提供される。
【００２１】
なお、上記バンド部から吐き出す風向を調整して使用者の髪毛のきめ乾燥方向調整及び図6cの坂東形態変更時螺旋構造の乾燥風(433)が生成できるステアリング装置(420)が設置されている乾燥風吐き出し部が提供される。
【００２２】
なお、上記バンド内部のエアーダクトを通って吐出す乾燥風の伝道熱によりバンド外部ハウジング(412)が加熱する現状を防ぐ為の断熱材(413)が構成されているバンド部が提供される。
【００２３】
なお、毛髪の乾燥部位による乾燥風吐出しバンド間角度変更段階及び弾性体バンドと第1バンドー(331)間ヒンジ角度変更以後乾燥段階を含む毛髪乾燥方法が提供される。
【００２４】
なお、上記前乾燥段階に至って本体から送られる乾燥風の生成及び制御、異常状態感知によるコイル過熱及び送風遮断方法が提供される。
【００２５】
なお、既存ヘアードライ機を本体として活用して、高温及び低温風を分離してエアーチューブで送付する突出し効果を活用したコネクター；と本体部(310)を除外した前項にて請求されるバンドー部(330)；及びエアーチューブ(320)が構成されるヘアードライ機付着装備が提供される。
【発明の効果】
【００２６】
この発明の  実例によるとバンドー部を持つヘアードライ機が適用されることにより、使用者は毛髪の乾燥と同時に両手がヘアードライ機からはなれ他のことが可能になる。これにより、利用者は毛髪を乾燥しながら同時に化粧、着衣, 運転などの乾燥以外の行動が可能になる。
【００２７】
実際使用に於いて身体接触が主に発生するバンド部及びエアーチューブは電気構成部品がないので感電の危険性がない。
【００２８】
使用者の頭上に合わせて三日月形象の乾燥風吐出しバンドで乾燥風と毛髪の摩擦面積を増やして蒸発時間を短縮して乾燥効率が上昇できる。
【００２９】
利用者の意図なりの吐出し風の方向を調整してスタイルリングができる、かつ螺旋風を噴出して毛髪内部に乾燥風の浸透がより効率よくできる。
【００３０】
既存ドライ機使用中ドライ機本体を振って乾燥風が一定箇所に間歇的に噴射され過熱による焼けどまたは毛髪損傷を防ぐ為の行為のように吐出し風の間歇的遮断を通して毛髪の損傷および焼けどの危険を無くせる。
【００３１】
なお、既存ドライ機と互換ができて追加エネルギーなしで同一ハンズフリードライ機で使用できる装置及び方法を明記する。
【００３２】
この出願の実施例の効果は以上で説明した効果で制限されなく、言及されていない実用効果は請求範囲の記載から当業者に明確に理解できる。
【図面の簡単な説明】
【００３３】
この出願を例示する為に図面には実例を図示する。しかしこの出願は上記内容に準じる部品が図面が指す箇所に限定され製品化されるわけではないことを理解すべきだ。よって、実例にはこの発明の権利範囲を限定することではなく汎用例として使用する例であり、この技術事象を通して実現される多様な実施例がある。
図面に図示されてある線の太さと構成要素の大きさなどは説明の明瞭性及び便利上誇張され図示されている。なお、後術される用語はこの発明にての機能を考慮して定義された用語でありこれは使用者、運用者の意図及び慣例によりその呼び方が変わることもある。よってこの用語に対する定義はこの明細書全般に掛けた内容を基にした内容で説明されるべきである。
【図０】は代表図を示す。
【図１】は従来一般ヘアドライ機の実例を示す。
【図２】はこの発明の実使用例を示す。
【図３ａ】はこの発明の構成図面。
【図３ｂ】はこの発明の構成図面。
【図４】は図3aの本体部の図示図面。
【図５ａ】は図3bのエアーチューブの図示図面。
【図５ｂ】は図5aの断面図。
【図６ａ】,
【図６ｂ】,
【図６ｃ】は図3bの乾燥風吐出しバンド部(330)の変形段階を図示した図面。
【図６ｄ】は弾性体バンド示す図
【図６ｅ】は弾性体バンド及びヒンジがの示す図。
【図６ｆ】は乾燥風吐出しバンド及び弾性体バンドヒンジの示す図。
【図６ｇ】は図6cの乾燥風吐出しバンドと図6dの弾性体バンドの結合の示す図。
【図６ｈ】は図6gの弾性体バンドヒンジ角度が調節した示す図。
【図６ｉ】は図6aの乾燥風吐出しバンドと 図6dの弾性体バンドが結合した実施例を示す側面の断面図。
【図６ｊ】は図6iの正面図
【図６ｋ】は図6iのバンド部詳細断面図
【図６ｌ】は図6bの乾燥風吐出しバンドと図6dの弾性体バンドが結合された実施例を示す側面断面図
【図６ｍ】は図6gのバンド部状態にての実例を示す図示。
【図６ｎ】は図6hのバンド部状態にての実例を示す図示。
【図７ａ】は乾燥風吐出しバンドの断面図を示す図示。
【図７ｂ】は図7aの断面部を中心で吐出し気流及び誘導気流を示す断面図。
【図８】はステアリングを示す構成図
【図９ａ】は本体部に構成される間歇遮断機と本体内部エアーチューブを示す図面
【図９ｂ】は間歇遮断機の構成品を示す図示
【図１０ａ】は図6cの乾燥風吐出すバンド形態のときのステアリングを通す乾燥風の螺旋形軌跡を示す図示。
【図１０ｂ】は 図10aの正面図
【図１１ａ】はヒーティングコイル2つとインパラー2個が適用されたエアーチューブ及び調節回路断線図
【図１１ｂ】はインパラ1個とバルブ及びひてぃんぐコイル2つが適用されたエアーチューブ及び調節回路断線図。
【図１１ｃ】はインパラー1個とヒーティングコイル1個が適用されたエアーチューブ及び調節回路断線図
【図１２ａ】、
【図１２ｂ】は既存ヘアードライ機とコネクターを示す図示。
【図１２ｃ】は既存ヘアードライ機とコネクタが結合された図面
【図１２ｄ】はコネクタを断面s2で分離して吐出し風の性質を区分したことを示す図示。
【図１２ｅ】はこの発明のほかの実施例でのコネクタ内/外部の流体の流れを表現したコネクタの断面図 第１ヒンジ部(334)は図面に図示されていないが通常のヒンジ知識の保有者であれば構成できるヒンジ角調節ぜんまい部(337)と共に適用され時間による角度変更が可能になるように構成できる。ぜんまい部は変速機、調速機及びプレートスプリングで構成され一定時間が過ぎると第1乾燥風吐出すバンド(331)と第2乾燥風吐出しバンド(332)の角度を変更できる。
【発明を実施するための形態】
【００３４】
以下本出願の目的が具体的に実現できる本発明の実施例を添付した図面を提示して説明する。この実施例を説明することに於いて同一構成に対しては同一名称及び同一符号が使用されるかつこれによる付加説明省略する。
【００３５】
この実施の例に於いて家庭で使用する一般電力が主駆動力で使用されることを例にしてセル名する。しかし、この発明はこれに限定されることではなくハンズフリーの特定を活用して本体の形態を変形して使用者の身体に付着してバッテリ形態で駆動力を得るか、シガージャックなどを利用して車両内部で使用することを考えられる。
【００３６】
以下で説明するこの出願の実施例の詳細説明は添付した図面とつき合わせると構成の理解に役に立つ。
【００３７】
ヘアードライ機は電気モータと繋がっているファンを駆動して周りの食う魏を吸入してコイルなどの加熱部品を通し機器外部に吐出して濡れている毛髪を乾燥する一般的な電子製品である。
【００３８】
図1は既存のヘアードライ機(103)使用し、毛髪を乾燥する行為を示す。使用者は片手で乾燥機を握って(101)空いている手で髪を振って水分を蒸発する行動(102)をする。これは既存ヘアードライ機使用者は毛髪を乾かすこと以外、手を使ったほかの行為ができないことを知ることができる。
【００３９】
図２はこの発明の一つの実例を示す。利用者は毛髪を乾燥する間両手を自由に使い、両手を使った一体の行為(201)が可能となる。これにより、毛髪乾燥の間に物を摘んだり、化粧、脱衣、着衣など既存ヘアードライ機使用中不可能だった行動ができる。
【００４０】
この発明の一つの一般使用例は一般家庭電気を利用するかバッテリからの電力を利用して温風もしくは送風を本体（310）から生成して使用者の便意に合わせて吐出し風の性質を調整する。
【００４１】
本体から生成された乾燥風はエアーチューブ（320）を通しバンド部（330）に移送されてこの過程中相違性質で生成された乾燥風が混合されないように本体内部ハウジングおよびエアーチューブ（320）から吐出しバンド（330）まで乾燥風の移動空間は分離され独立形態で運用することが可能。
【００４２】
図４で指すように本体部は第1バンド（331）および第2バンド（332）にてそれぞれ吐出される乾燥風の風量、温度および間歇遮断システム（500）の動作を調節できる前面部制御版（311）で構成される。外部空気吸気部（312）と本体内部インパラー(g)により傷害を受けたり、異物質流入による機器破損などの防ぐために安全網(313)が設置される。利用時間外バンドおよびエアーチューブの保管整理のための巻取り部(314)     が適用されるかつ必要におうじて適切な掛け物が付着される。エアーチューブにかける張力およびその他の外力により本体部が移動する現象を防ぐために支柱部(315)は摩擦抵抗計数の大きいゴム材質パッドで作られる。
【００４３】
図４で指す本体の形象は変更可能性があるかつ外部電力を利用して乾燥風を生成してその乾燥風を制御する本体の役割外機器調整方法は機械式、電子式などで変更できる。
【００４４】
本体から生成された乾燥風はマルチコア(321)で構成されたエアーチューブを通ってバンド部(330)に送られる。これで本体部とバンド部を繋ぐラインの数を単一かしてエアーチューブがねじる現象を防いでかつ本体部から生成された乾燥風それぞれの性質が混合され消滅することを防げる。
【００４５】
なお、エアーチューブはエアーチューブコア(325)を通す乾燥風の温度によりエアーチューブ表皮部が加熱され発生する可能性があるやけどを防ぐために断熱材(324)が一緒に構成される。
【００４６】
本体内部エアーチューブと外部エアーチューブ(320)の間に設置される間歇遮断システム(500)は毛髪に乾燥風に連続的に吐き出されないようにすることで毛髪損傷およびやけどを防止できる。高温乾燥風を使用する場合使用者は本体パン寝る部(３１１) で間歇遮断システムを動作できる。間歇遮断モータ(501)が駆動されモータギア(502)を通って開閉ギア(503)が減速して回転する。これでモータの回転周期によって乾燥風通路は開閉されエアーチューブ(320)およびバンド部で非連続てきな送風が行われる。
【００４７】
なお、本体部とつながってあるエアーチューブは疲労過重が集中する本体連結部(322)に部分損傷が発生して乾燥風がもれることが発生しないようにエアーチューブにはしわ部分を持たす。
【００４８】
なお、上記間歇遮断ギア(503)の開放部(504)の大きさおよび模様は変更可能である。かつ乾燥風の流れを閉めることにより発生可能性のある騒音問題を解決するため、間歇遮断システムの周りの本体内部ハウジングは断熱材以外にも防音財も適用できる。
【００４９】
バンド部(330)に近接したエアーチューブはシングルコアーエアーチューブ(323)で分離され第1バンド部(331) と第2バンド分(323) のフラグ(385)にそれぞれ繋がる。
【００５０】
バンド部(330)は第1バンド(331) と第2バンド(332)および弾性体バンド(340)で分けられる。なお、第1ヒンジ部(334) により第1バンドおよび第2バンドがお互いに繋がる。ちなみに第2ヒンジ部(342)による弾性体バンドと第1バンド部が繋がることによりバンド部(330)はお互いに連結して構成できる。
【００５１】
つまり、上記弾性体バンドによる乾燥風吐き出しバンド部は人体部位に固定されヒンジ連結で形態および吐き出し箇所が維持および変更され毛髪を感想することが可能になる。
【００５２】
ヒンジ角調節ぜんまい部(337)により第1番どぶ(331)と第2バンド部(332)が連結されたヒンジ角度が時間により図6aのバンド間角度にて図6bのバンド間角度で変更されているため図6cのバンド形態で動いて感想部位が電気的駆動力無しで自動で移動できるようにする。など、必要に応じて手動でヒンジ核を調節して毛髪を乾燥するように構成できる。なおかつ第1ヒンジ部周辺核バンド部に突出されたストッパー(338)が設置され6cバンド形態以上でヒンジ角度が変更されないように構成できる。
【００５３】
一般男性の短い毛髪長さを基準で本発明のひとつの実用例は図6iと同じで時間の経過により図6l(L)と同じく感想部位を変更することになる。上記のひとつの実用の例により、通常第1バンド部と大2バンド部がそれぞれ乾燥する毛髪の量が相違で第1番どぶは普通毛髪のはいていない使用者の顔面に向いているのでそれぞれのバンド部で乾燥しようとする毛髪状態のバランスに合わせて進行する必要がある。
【００５４】
よって、すでに乾燥が早期進行した毛髪部位においてあるバンド部はその風量を減らすか温度を減らして乾燥動作を緩めることができる。これとは逆に乾燥が進行されていない毛髪部位に分さされる乾燥風はその風量を上げたり温度を上昇して運用することが可能である。
【００５５】
面(S3)で切った断面部である図6kのように乾燥風吐き出し部は頭上を向くように下向調整される。
【００５６】
一般情勢の長い毛髪長さを基準でこの発明のほかの実用の例は図6mおよび6nに示している。第2ヒンジ(342)を利用して弾性体バンド(340)と第1バンド部(331)の角度を変更しながらバンド部を固定できる。
【００５７】
上記弾性体バンドの第2ヒンジ連結部(341)は弾性体の変更にも関節が維持できるように低変形率の非弾性材質で構成されるのを基準とする。
【００５８】
上記第1バンド部の第2ヒンジ連結部(336)は第2ヒンジの回転が可能になるように回転半径で切り取って直線系で構成される。このため弾性体バンドは図6gおよび6hの形態に変更可能となり使用者の後ろ毛髪部位を乾燥できる。
【００５９】
上記本発明の実施例にて長い毛髪を乾燥する場合の乾燥風噴出しバンド部の模様は通常図6cの形態となり第1バンド部および第2バンド部の間に毛髪が流れ込んで乾燥できる。この際、弾性体は使用者の首に固定され窒息および利用に拒否感のないように弾性体の形象によって利用者の前首部位は解放され(343)使用することが考えられる。
【００６０】
第1番どぶを面(s)で切った場合、内部の模様は図7bと同じになる。上記バンドの断面部形象は雫模様の流線形象を持っている。これはエアーチューブ(320)からもらった乾燥風はエアダック部(411)を通って吐き出し部(333)に加圧されて噴射される風が(431)陰圧をを生成するかつ空気管摩擦力を利用して周囲の空気を巻き込んで(432)毛髪乾燥を助力するためにある。これにより人為で出力された風の量より多い量の空気が毛髪と摩擦できるようになり、このため利用者の毛髪乾燥時間も短縮できるかつ電力消耗も下げる効果がある。
【００６１】
なお、エアーダクトを通る乾燥風の温度によりバンドの外部ハウジング(412)が加熱されて発生する可能性のある使用者のやけど事故を防止するために断熱財(413)がエアーダクトと外部ハウジングの間に構成できる。
【００６２】
風量調整ボタン(424)を乾燥風吐き出しバンドの外部ハウジング穿孔部(425)なりに移動できる。風量調整ボタンとつながっている方向調整線(423)がその長さ通りの方向に位置変更されることで回転軸(422)を中心にモメンタムが発生した風量調節盤(421)はその角度が変更され風量が決定できる。
【００６３】
上記風向調整盤の角度(434)に沿って吐き出した乾燥風は図10aと同じ流れを持てる。これは自然系にて発生する螺旋けい風向を起こして髪を洗ってから固まっている毛髪の乾燥率を上げるため毛髪の隙間に乾燥風の浸透率を高めるかつ単純乾燥だけではなく使用者の毛髪スタイリング、Curlingのためにも適用可能。
【００６４】
上記螺旋系風向は図10bと同様の回転流であり、これは自然系のひまわり種の配列角/一般液体排水のとき発生する回転過流の螺旋構造と同じ風向に維持されるようにステアリング装置(420)が構成できる。
【００６５】
吸気から吐き出しまでのプロセス中発明品の制御および乾燥風の移動および核段階別主要こう製品は図11a/図11b/図11cにて描いている単線図を通して説明できる。
【００６６】
上記単線図にて実線部は乾燥風が通過する内部ハウジングおよびエアーチューブであり、点線はシグナルラインまたは電力供給ラインを示す。各図面は適用可能の仕様に従った単線図を描いている。
【００６７】
図11aのようにインパラとヒーティングコイルの数量を同一にできよう可能。上記の場合第1バンド部と第2番どぶの乾燥風が独立的に不要および温度調整され噴射可能のように構成できる。
【００６８】
図11bと同じくインパラを共同で運用する場合、各乾燥風の吐き出しバンドの個別的風量調整は不可能であり、ソレノイドバルブ(v)を適用してバンド別吐き出し風の遮断が可能になるように構成できる。
【００６９】
図11cと同じく共同のインパラおよびヒーティングコイルを適用してシステムを構成する場合、各バンド部の乾燥風はその風量と温度が単一性質で同時に調整できて噴射できるかつ乾燥風吐き出し坂東別遮断は不可能の仕様である。
【００７０】
使用者はコントロールパンネール部(a)にてインパラ(g)およびヒーティングコイル(c)を稼動できるかつこれにより外部空気は安全網(b)と吸気部(312)を通って本題内部ハウジングに流入される。流入される空気はヒーティングコイル(c)の作動可否により、加熱、非加熱の状態で風量間歇遮断機(d)を通ってエアーチューブに移動する。
【００７１】
パンネール部を通る電力はリレー(h)を通ってヒーティングコイルに供給されるかつ内部エアーチューブまたはハウジング部の温度が設計温度を超える場合加熱状態を感知してヒーティングコイルへの電力ラインを制御して温度上昇を防止できる。
【００７２】
既存ヘアードライ機(103)は本体部で活用してハンズフリードライ機でしようできコネクター(601)が提供される。
【００７３】
上記コネクターはEjectorの効果をりようしてドライ機(103)から吐き出される乾燥風をDriving Flowで適用する。これにより、吐き出し部周囲に発生する陰圧を活用して外部空気がコネクター内部に吸気できる形象を持てる。
【００７４】
上記コネクターのDiffuser部を通って既存ヘアードライ機から出る乾燥風(604)と誘導されてインナーディスチャージコネクターにより高温風と分離されエアーチューブ部に移動する。分離される高温風(604)の場合第2バンド部に連結されエアーチューブ部に移動することになる。分離されて出る高温風(604)の場合第2バンド部に連結されて比較的皮膚に直接的に乾燥風が当たらないように後頭部向かうように調整できるかつ誘導された低温(605)は主に第1番どぶで吐き出される。既存ドライ機にて抽出された二つの相違
【００７５】
以上のようにこの出願による実施例をみて前言通りの実施例以外にもこの発明がその旨と範疇から離れることなく違う特定形態で具体化できることは事実であり該当技術の通常の知識を持っている人には明確にその特許請求権内に含まれると認知できることである。よって詳述された実施例は制限的なことではなく例示的なことで認識されるべきであり、この出願は詳述した説明に限定されず添付されている請求項の範疇およびその同等範囲内で変更できる。
【産業上の利用可能性】
【００７６】
日常の生活において髪毛の乾燥行為は一般的であり、その行為において既存の乾燥方法より時間的に乾燥効率が高いかつ便利さをより一層あげて家庭及び商業店舗での新しい乾燥方法を提供することができるので利用者が発生する可能性が高いと評価する。
【符号の説明】
【００７７】
103：既存ヘアードライ機 310：本体部
320：エアーチューブ部                   330：バンド部
311：乾燥風調整パンネール部       312：吸気部
313：安全網                                   314：エアーチューブ及びバンド握り手部
315：支え部                                   321：マルチコアエアーチューブ部
322：エアーチューブ本体連結部    325：エアーチューブコアー
331：第1乾燥風吐出しバンド        332：第2乾燥風吐出しバンド
333：乾燥風吐出し口                     334：乾燥風吐出しバンドヒンジ(第1ヒンジ部)
335：エアーチューブプラグ部        336：第1乾燥風吐出しバンド部の大2ヒンジ連結部
337：ヒンジ角調整ぜんまい部        338：ストッパー
340：弾性体バンド                        341：弾性体バンドの第2ヒンジ連結部
342：弾性体バンドヒンジ(第2ヒンジ)  343：弾性体バンド開放部
411：エアーダクト                        412：乾燥風吐出しバンド外部ハウジング
413：断熱材                                   420：ステアリング装置
421：風向調整盤                            422：回転軸シャフト
423：方向調節棒                            424：風向調節部
431：乾燥風ベクター                     432：誘導風ベクター
433：螺旋乾燥風ベクター              434：風向調整盤角度
500：間歇遮断システム                 501：間歇遮断機モーター
502：モーターギアー部                 503：開閉ギアー部
504：開放部
(a)  311                                         (b)313
(c) ヒーティングコイル               (d)500
(e) 320                                         (f)330
(g) モーター＆インパラー           (h)ヒーティングコイル電力遮断リレー
(i)温度計                                       (v)ソレノイドバルブ
601：コネクター                            602：インナーディスチャージ
604：高温風ベクター                     605：誘導低温風ベクター
【図０】
2015029656.tif 000003
【図１】
2015029656.tif 000004
【図２】
2015029656.tif 000005
【図３ａ】
2015029656.tif 000006
【図３ｂ】
2015029656.tif 000007
【図４】
2015029656.tif 000008
【図５ａ】
2015029656.tif 000009
【図５ｂ】
2015029656.tif 000010
【図６ａ】
2015029656.tif 000011
【図６ｂ】
2015029656.tif 000012
【図６ｃ】
2015029656.tif 000013
【図６ｄ】
2015029656.tif 000014
【図６ｅ】
2015029656.tif 000015
【図６ｆ】
2015029656.tif 000016
【図６ｇ】
2015029656.tif 000017
【図６ｈ】
2015029656.tif 000018
【図６ｉ】
2015029656.tif 000019
【図６ｊ】
2015029656.tif 000020
【図６ｋ】
2015029656.tif 000021
【図６ｌ】
2015029656.tif 000022
【図６ｍ】
2015029656.tif 000023
【図６ｎ】
2015029656.tif 000024
【図７ａ】
2015029656.tif 000025
【図７ｂ】
2015029656.tif 000026
【図８】
2015029656.tif 000027
【図９ａ】
2015029656.tif 000028
【図９ｂ】
2015029656.tif 000029
【図１０ａ】
2015029656.tif 000030
【図１０ｂ】
2015029656.tif 000031
【図１１ａ】
2015029656.tif 000032
【図１１ｂ】
2015029656.tif 000033
【図１１ｃ】
2015029656.tif 000034
【図１２ａ】
2015029656.tif 000035
【図１２ｂ】
2015029656.tif 000036
【図１２ｃ】
2015029656.tif 000037
【図１２ｄ】
2015029656.tif 000038
【図１２ｅ】
2015029656.tif 000039
【手続補正書】
【提出日】平成26年9月11日(2014.9.11)
【手続補正２】
【補正対象書類名】明細書
【補正対象項目名】００３３
【補正方法】変更
【補正の内容】
【００３３】
この出願を例示する為に図面には実例を図示する。しかしこの出願は上記内容に準じる部品が図面が指す箇所に限定され製品化されるわけではないことを理解すべきだ。よって、実例にはこの発明の権利範囲を限定することではなく汎用例として使用する例であり、この技術事象を通して実現される多様な実施例がある。
図面に図示されてある線の太さと構成要素の大きさなどは説明の明瞭性及び便利上誇張され図示されている。なお、後術される用語はこの発明にての機能を考慮して定義された用語でありこれは使用者、運用者の意図及び慣例によりその呼び方が変わることもある。よってこの用語に対する定義はこの明細書全般に掛けた内容を基にした内容で説明されるべきである。
【図１】は代表図を示す。
【図２】は従来一般ヘアドライ機の実例を示す。
【図３】はこの発明の実使用例を示す。
【図４ａ】はこの発明の構成図面。
【図４ｂ】はこの発明の構成図面。
【図５】は図4aの本体部の図示図面。
【図６ａ】は図4bのエアーチューブの図示図面。
【図６ｂ】は図6aの断面図。
【図７ａ】,
【図７ｂ】,
【図７ｃ】は図4bの乾燥風吐出しバンド部(330)の変形段階を図示した図面。
【図７ｄ】は弾性体バンド示す図
【図７ｅ】は弾性体バンド及びヒンジがの示す図。
【図７ｆ】は乾燥風吐出しバンド及び弾性体バンドヒンジの示す図。
【図７ｇ】は図7cの乾燥風吐出しバンドと 図7dの弾性体バンドの結合の示す図。
【図７ｈ】は図7gの弾性体バンドヒンジ角度が調節した示す図。
【図７ｉ】は図7aの乾燥風吐出しバンドと 図7dの弾性体バンドが結合した実施例を示す側面の断面図。
【図７ｊ】は図7iの正面図
【図７ｋ】は図7iのバンド部詳細断面図
【図７ｌ】は図7bの乾燥風吐出しバンドと図6dの弾性体バンドが結合された実施例を示す側面断面図
【図７ｍ】は図7gのバンド部状態にての実例を示す図示。
【図７ｎ】は図7hのバンド部状態にての実例を示す図示。
【図８ａ】は乾燥風吐出しバンドの断面図を示す図示。
【図８ｂ】は図8aの断面部を中心で吐出し気流及び誘導気流を示す断面図。
【図９】はステアリングを示す構成図
【図１０ａ】は本体部に構成される間歇遮断機と本体内部エアーチューブを示す図面
【図１０ｂ】は間歇遮断機の構成品を示す図示
【図１１ａ】は図7cの乾燥風吐出すバンド形態のときのステアリングを通す乾燥風の螺旋形軌跡を示す図示。
【図１１ｂ】は 図11aの正面図
【図１２ａ】はヒーティングコイル2つとインパラー2個が適用されたエアーチューブ及び調節回路断線図
【図１２ｂ】はインパラ1個とバルブ及びひてぃんぐコイル2つが適用されたエアーチューブ及び調節回路断線図。
【図１２ｃ】はインパラー1個とヒーティングコイル1個が適用されたエアーチューブ及び調節回路断線図
【図１３ａ】、
【図１３ｂ】は既存ヘアードライ機とコネクターを示す図示。
【図１３ｃ】は既存ヘアードライ機とコネクタが結合された図面
【図１３ｄ】はコネクタを断面s2で分離して吐出し風の性質を区分したことを示す図示。
【図１３ｅ】はこの発明のほかの実施例でのコネクタ内/外部の流体の流れを表現したコネクタの断面図
【図１４ａ】は第1、第2乾燥風吐出しバンド部と第1ヒンジ部の間の分解図。
【図１４ｂ】は第1、第2乾燥風吐出しバンド部と第1ヒンジ部の間の部分拡大図。
【図１４ｃ】は第1、第2乾燥風吐出しバンド部と第1ヒンジ部の間の正面図。
【図１４ｄ】は第1、第2乾燥風吐出しバンド部と第1ヒンジ部の間の側面図。
【図１４ｅ】はヒンジ角調節ぜんまい部と第1ヒンジ部ピンの部分拡大図。
【図１４ｆ】はこの発明に適用されるヒンジ角調節ぜんまい部の正面及び側面を示す図面。
【図１５】はこの発明で製作された製品で使用方法を試す姿を現している図面。  第１ヒンジ部(334)は図面に図示されていないが通常のヒンジ知識の保有者であれば構成できるヒンジ角調節ぜんまい部(337)と共に適用され時間による角度変更が可能になるように構成できる。ぜんまい部は変速機、調速機及びプレートスプリングで構成され一定時間が過ぎると第1乾燥風吐出すバンド(331)と第2乾燥風吐出しバンド(332)の角度を変更できる。
【手続補正３】
【補正対象書類名】図面
【補正対象項目名】全図
【補正方法】変更
【補正の内容】
【図１】
2015029656.tif 000040
【図２】
2015029656.tif 000041
【図３】
2015029656.tif 000042
【図４ａ】
2015029656.tif 000043
【図４ｂ】
2015029656.tif 000044
【図５】
2015029656.tif 000045
【図６ａ】
2015029656.tif 000046
【図６ｂ】
2015029656.tif 000047
【図７ａ】
2015029656.tif 000048
【図７ｂ】
2015029656.tif 000049
【図７ｃ】
2015029656.tif 000050
【図７ｄ】
2015029656.tif 000051
【図７ｅ】
2015029656.tif 000052
【図７ｆ】
2015029656.tif 000053
【図７ｇ】
2015029656.tif 000054
【図７ｈ】
2015029656.tif 000055
【図７ｉ】
2015029656.tif 000056
【図７ｊ】
2015029656.tif 000057
【図７ｋ】
2015029656.tif 000058
【図７ｌ】
2015029656.tif 000059
【図７ｍ】
2015029656.tif 000060
【図７ｎ】
2015029656.tif 000061
【図８ａ】
2015029656.tif 000062
【図８ｂ】
2015029656.tif 000063
【図９】
2015029656.tif 000064
【図１０ａ】
2015029656.tif 000065
【図１０ｂ】
2015029656.tif 000066
【図１１ａ】
2015029656.tif 000067
【図１１ｂ】
2015029656.tif 000068
【図１２ａ】
2015029656.tif 000069
【図１２ｂ】
2015029656.tif 000070
【図１２ｃ】
2015029656.tif 000071
【図１３ａ】
2015029656.tif 000072
【図１３ｂ】
2015029656.tif 000073
【図１３ｃ】
2015029656.tif 000074
【図１３ｄ】
2015029656.tif 000075
【図１３ｅ】
2015029656.tif 000076
【図１４ａ】
2015029656.tif 000077
【図１４ｂ】
2015029656.tif 000078
【図１４ｃ】
2015029656.tif 000079
【図１４ｄ】
2015029656.tif 000080
【図１４ｅ】
2015029656.tif 000081
【図１４ｆ】
2015029656.tif 000082
【図１５】
2015029656.tif 000083
【手続補正４】
【補正対象書類名】明細書
【補正対象項目名】００５２
【補正方法】変更
【補正の内容】
【００５２】
ヒンジ角調節ぜんまい部(337)は時間が経過することにより第1ヒンジ部(334)ピンを軸として回転トークをトーク連動アーム(337c)を通して第2乾燥風吐出しバンドヒンジピンナックル(337)に伝える。ヒンジピンカーバパイプ(337e)はヒンジ角調節ぜんまい部(337)に固定され回転しないかつ第1乾燥風吐出しバンドヒンジピンナックル(337a)間角度変更が可能になるように構成できる。
【手続補正５】
【補正対象書類名】明細書
【補正対象項目名】００７１
【補正方法】変更
【補正の内容】
【００７１】
パンネール部を通る電力はリレー(h)を通ってヒーティングコイルに供給されるかつ内部エアーチューブまたはハウジング部の温度が設計温度を超える場合加熱信号を温度スイッチ(i)から受けってヒーティングコイルへの電力ラインを制御して温度上昇を防止できる。
【手続補正６】
【補正対象書類名】明細書
【補正対象項目名】００７７
【補正方法】変更
【補正の内容】
【００７７】
103：既存ヘアードライ機               310：本体部
320：エアーチューブ部                                 330：バンド部
311：乾燥風調整パンネール部       312：吸気部
313：安全網                                                 314：エアーチューブ及びバンド握り手部
315：支え部                                                 321：マルチコアエアーチューブ部
322：エアーチューブ本体連結部                325：エアーチューブコアー
331：第1乾燥風吐出しバンド                      332：第2乾燥風吐出しバンド
333：乾燥風吐出し口                                   334：乾燥風吐出しバンドヒンジ(第1ヒンジ部)
335：エアーチューブプラグ部                      336：第1乾燥風吐出しバンド部の大2ヒンジ連結部
337：ヒンジ角調整ぜんまい部                      338：ストッパー
340：弾性体バンド                                      341：弾性体バンドの第2ヒンジ連結部
342：弾性体バンドヒンジ(第2ヒンジ)  343：弾性体バンド開放部
411：エアーダクト                                      412：乾燥風吐出しバンド外部ハウジング
413：断熱材                                                 420：ステアリング装置
421：風向調整盤                                          422：回転軸シャフト
423：方向調節棒                                          424：風向調節部
431：乾燥風ベクター                                   432：誘導風ベクター
433：螺旋乾燥風ベクター                            434：風向調整盤角度
500：間歇遮断システム                 501：間歇遮断機モーター
502：モーターギアー部                 503：開閉ギアー部
504：開放部
(a)  311                                         (b)313
(c) ヒーティングコイル (d)500
(e) 320                                         (f)330
(g) モーター＆インパラー           (h)ヒーティングコイル電力遮断リレー
(i)温度計                                       (v)ソレノイドバルブ
601：コネクター                                          602：インナーディスチャージ
604：高温風ベクター                                   605：誘導低温風ベクター
337a : 第1乾燥風吐出しバンドヒンジピンナックル   
337b : 第２乾燥風吐出しバンドヒンジピンナックル 
337c : ヒンジピントーク連動アーム             337d : トーク連動アーム挿入部 
337e : ヒンジピンカーバパイプ     331a : 第1乾燥風吐出しバンド軸                 
332a : 第２乾燥風吐出しバンド軸
【手続補正７】
【補正対象書類名】特許請求の範囲
【補正対象項目名】全文
【補正方法】変更
【補正の内容】
【特許請求の範囲】
【請求項１】
乾燥風を生成してかつ生成した乾燥風の温度及び風量を調整する本体部(310)；上記本体部(310)から生成された乾燥風をバンド部(330)に移動させるエアーチューブ部(320)；バンド部(330)に送られている乾燥風を乾燥しようとする毛髪部位別に噴射する装置が構成されることを特徴とするヘアードライ機。
【請求項２】
第1請求項において、
上記本体部(310)は二つ以上の性質でそれぞれ生成された乾燥風がお互いに混合されないように分離された内部ハウジングを持っているかつ内部ハウジングを包む防音財及び断熱材と外部空気を吸入して加圧するモーター、インパラー(g)と加圧された空気を過熱するヒーティングコイル(c)及び乾燥風の温度及び風量を調整するパンネル部(311)で構成されていることを特徴とするヘアードライ機。
【請求項３】
第1請求項において、
二つ以上の性質でそれぞれ生成された乾燥風がお互いに混合されずに本体部(310)にてバンド部(330)まで送られるようにするマルチコアーエアーチューブ部(321)とひとつ性質の乾燥風が送られるシングルコアーエアーチューブ部(323)を持つチューブ断熱材で包まれているエアーチューブ(320)が構成されていることを特徴とするヘアードライ機。
【請求項４】
第1請求項において、
上記バンド部(330)は三日月形象の第1乾燥風吐出しバンド部(331)、第2乾燥風吐出しバンド部(332)とヒンジピン締結で第1、第2乾燥風吐出しバンド間角度を変更できる第1ヒンジ部(334)；弾性力を持つ三日月形象の弾性体バンド(340)部分中第2ヒンジ(342)の正常回転のために回転軸が直線形を維持する弾性体バンドの第2ヒンジ連結部(341)、第1乾燥風吐出しバンド部(331)と弾性体バンド(340)を締結するかつヒンジ、バンド間角度変更時第2ヒンジ(342)と第1乾燥風吐出しバンド部(331)間回転半径に妨害がないように折れ曲がり部を持つ第2ヒンジ(342)；第1、第2乾燥風吐出しバンド内部乾燥風が通るエアーダクト(411)と乾燥風吐出しバンドから噴射される風の横方向を調節する操向装置(420)；盤スプリング、変速ギア及び振り子が適用され一定速度で第1乾燥風吐出しバンド(331)第2乾燥風吐出しバンド(332)間角度が変更できるようにするぜんまい分(337)が構成されていることを特徴とするヘアードライ機。
【請求項５】
第4請求項において
上記バンド部(330)の第1乾燥風吐出しバンド部(331)と第2乾燥風吐出しバンド部(332)は、乾燥風ベックタ(431)の流速を利用して周辺の空気を誘導風(432)で活用できるようエアーダクト(411)が存在する部分に限って雫形象の断面部を持つ乾燥風吐出しバンド外部ハウジング(412)で構成されていることを特徴とするヘアードライ機。
【請求項６】
第4請求項において
上記バンド部は、第1ヒンジ部(334)を回転軸として第1乾燥風炊き出しバンド部(331)と第2乾燥風吐出しバンド部(332)の角度が180°変更された場合を基準で操向装置(420)操作により吐出し風の軌跡が円錐形螺旋構造に生成できるようにする第1乾燥風吐出しバンド部と第2乾燥風吐出しバンド部が構成されていることを特徴とするヘアードライ機。
【請求項７】
第4請求項において
上記第1乾燥風吐出しバンド部(331)と第2乾燥風吐出しバンド部(332)はエアーダクト(411)を通して吐出される乾燥風の伝道熱によりバンド外部ハウジング(412)が過熱される現象を防ぐための断熱材(413)がエアーダクト(411)と乾燥風吐出しバンド外部は言う陣具(412)間に構成されていることを特徴とするヘアードライ機。
【請求項８】
弾性体バンド(340)が頭の上に固定されている状態から第1ヒンジ部(334)のヒンジピンを軸でヒンジ角調整ぜんまい部(337)により第1乾燥風吐出しバンド部(331)と第2乾燥風吐出しバンド部(332)間の角度が0°から90°又は180°範囲まで変更できて頭皮から近い毛髪を乾燥する段階と；第1ヒンジ部(334)のヒンジピンを軸で第1乾燥風吐出しバンド部と第2乾燥風吐出しバンド部が180°角度で固定されている状態で弾性体バンド(340)が使用者の首もしくは弾性体バンド(340)間の角度を調整するかつ第1、第2乾燥風吐出しバンド部間の円弧内部方向に毛髪を位置させて頭皮から相対的に遠く離れている毛髪の乾燥段階を含まれていることを特徴とする毛髪の乾燥方法。
【請求項９】
第8請求項において
上記頭皮から近い毛髪から乾燥する段階から上記頭皮から相対的遠く離れている毛髪の乾燥段階に至るまで、上記本体部(310)にて生成される乾燥風の温度及び風量などの特性を乾燥風調整パンネル部(311)を通じて調整する正常状態段階；と上記本体部(310)にて生成される乾燥風の温度がヒーティングコイル（ｃ）とエアーチューブ(320)間本体部(310)内部ハウジング区間にて温度スイッチ(i)によって常に測定されているかつ測定された温度が40℃あるいは60℃以上を超えている場合、異常状態と判断してヒーティングコイル電力遮断リレー(h)を回路してヒーティングコイル(c)作動を制御する異常状態自動制御段階を含むことを特徴とする毛髪の乾燥方法。